【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
割開き可能なリッドを有するエアバッグ組込パネルに組込まれるエアバッグ装置であって、
前記リッドの内側に配設され、ガスを発生可能なインフレータと、
前記リッドと前記インフレータとの間に配設可能な状態に折畳まれ、前記インフレータから導入されるガスによって袋状に膨張展開可能なエアバッグと、
方形状の第１シート部分と、前記第１シート部分の４方縁部より延出する４つの方形状の第２シート部分と、前記各第２シート部分の間に設けられた４つの第３シート部分とを含み、前記４つの前記第２シート部分が前記第１シート部分から立上がって前記インフレータと前記リッドとの間で折畳まれた前記エアバッグ及び膨張展開中のエアバッグを囲うことが可能な周壁部を形成するように、前記各第３シート部分が前記４つの前記第２シート部分のうちのいずれかに接合部を介して接合され、前記接合部が前記第２シート部分の側縁部に対して交差する方向に沿って形成された部分を含む、アウターバッグと、
を備えるエアバッグ装置。
【請求項２】
請求項１記載のエアバッグ装置であって、
前記接合部は、前記各第３シート部分が前記４つの前記第２シート部分のうちのいずれかに前記第２シート部分の先端側縁部に沿ったラインで接合された部分を含む、エアバッグ装置。
【請求項３】
請求項１又は請求項２記載のエアバッグ装置であって、
前記第１シート部分と、前記４つの前記第２シート部分とは、一方側が開口する直方体箱状をなすように折られている、エアバッグ装置。
【請求項４】
請求項１〜請求項３のいずれか１つに記載のエアバッグ装置であって、
前記４つの前記第２シート部分の側縁部同士は接合されず、前記各第３シート部分が前記４つの前記第２シート部分のいずれかに接合されることで、前記４つの前記第２シート部分が周壁部をなすように維持されている、エアバッグ装置。
【請求項５】
請求項１〜請求項４のいずれか１つに記載のエアバッグ装置であって、
前記４つの前記第３シート部分のうち隣合う２つの前記第３シート部分が、共通する前記接合部で、前記４つの前記第２シート部分のいずれかに接合されている、エアバッグ装置。
【請求項６】
請求項１〜請求項５のいずれか１つに記載のエアバッグ装置であって、
前記アウターバッグの前記周壁部の一部が、膨張展開中の前記エアバッグと、前記リッドの外周囲に立設されたリッド側周壁部との間に挟込み可能に配設されている、エアバッグ装置。
【請求項７】
請求項１〜請求項６のいずれか１つに記載のエアバッグ装置であって、
前記第１シート部分にインフレータ取付孔が形成され、前記インフレータが前記インフレータ取付孔の周縁部に取付けられている、エアバッグ装置。
【請求項８】
請求項７記載のエアバッグ装置であって、
前記４つの前記第２シート部分のうちの少なくとも１つの外側端部に、膨張展開中の前記エアバッグと前記エアバッグ組込パネルのうち前記リッドの外周側外面との間に挟込み可能な延設部が設けられている、エアバッグ装置。
【請求項９】
請求項７又は請求項８記載のエアバッグ装置であって、
前記４つの前記第２シート部分のうちの少なくとも１つの先端部に、天井部が設けられると共に、前記天井部からさらに延出するように延出部が設けられ、
前記天井部に前記エアバッグの膨張展開時に破断可能な破断部が形成され、
前記天井部が折畳まれた前記エアバッグを覆った状態で、前記延出部の先端部が前記インフレータに取付固定されている、エアバッグ装置。
【請求項１０】
請求項７〜請求項９のいずれか１つに記載のエアバッグ装置であって、
前記アウターバッグが前記エアバッグに取付けられている、エアバッグ装置。
【請求項１１】
請求項１０記載のエアバッグ装置であって、
前記第１シート部分が前記エアバッグに取付けられている、エアバッグ装置。
【請求項１２】
請求項１１記載のエアバッグ装置であって、
前記インフレータ取付孔を囲む円状の接合部分を介して、前記アウターバッグが前記エアバッグに取付けられている、エアバッグ装置。
【請求項１３】
請求項１１記載のエアバッグ装置であって、
前記第１シート部分周りの４つの辺に沿った方形状の接合部分を介して、前記アウターバッグが前記エアバッグに取付けられている、エアバッグ装置。
【請求項１４】
請求項１〜請求項６のいずれか１つに記載のエアバッグ装置であって、
前記第１シート部分に、エアバッグの膨張展開により破断可能な破断部が形成され、
前記４つの前記第２シート部分のうちの少なくとも１つの先端部に、インフレータ取付用シート部が設けられ、
前記インフレータ取付用シート部が前記インフレータに取付けられている、エアバッグ装置。
【請求項１５】
請求項１４記載のエアバッグ装置であって、
前記アウターバッグが前記エアバッグに取付けられている、エアバッグ装置。
【請求項１６】
請求項１５記載のエアバッグ装置であって、
前記インフレータ取付用シート部が前記エアバッグに取付けられている、エアバッグ装置。
【請求項１７】
請求項１〜請求項１６のいずれか１つに記載のエアバッグ装置であって、
前記アウターバッグの内側で折畳まれた前記エアバッグを覆い、前記エアバッグの膨張展開時に破断可能な補助ラップ部材をさらに備える、エアバッグ装置。
【手続補正２】
【補正対象書類名】明細書
【補正対象項目名】０００７
【補正方法】変更
【補正の内容】
【０００７】
上記課題を解決するため、第１の態様は、割開き可能なリッドを有するエアバッグ組込パネルに組込まれるエアバッグ装置であって、前記リッドの内側に配設され、ガスを発生可能なインフレータと、前記リッドと前記インフレータとの間に配設可能な状態に折畳まれ、前記インフレータから導入されるガスによって袋状に膨張展開可能なエアバッグと、方形状の第１シート部分と、前記第１シート部分の４方縁部より延出する４つの方形状の第２シート部分と、前記各第２シート部分の間に設けられた４つの第３シート部分とを含み、前記４つの前記第２シート部分が前記第１シート部分から立上がって前記インフレータと前記リッドとの間で折畳まれた前記エアバッグ及び膨張展開中のエアバッグを囲うことが可能な周壁部を形成するように、前記各第３シート部分が前記４つの前記第２シート部分のうちのいずれかに接合部を介して接合され、前記接合部が前記第２シート部分の側縁部に対して交差する方向に沿って形成された部分を含む、アウターバッグと、を備える。
【手続補正３】
【補正対象書類名】明細書
【補正対象項目名】００１４
【補正方法】変更
【補正の内容】
【００１４】
第８の態様は、第７の態様に係るエアバッグ装置であって、前記４つの前記第２シート部分のうちの少なくとも１つの外側端部に、膨張展開中の前記エアバッグと前記エアバッグ組込パネルのうち前記リッドの外周側外面との間に挟込み可能な延設部が設けられている。
【手続補正４】
【補正対象書類名】明細書
【補正対象項目名】００２４
【補正方法】変更
【補正の内容】
【００２４】
第１の態様に係るエアバッグ装置によると、前記４つの前記第２シート部分が前記第１シート部分から立上がって前記インフレータと前記リッドとの間で折畳まれた前記エアバッグ及び膨張展開中のエアバッグを囲うことが可能な周壁部を形成するように、前記各第３シート部分が前記４つの前記第２シート部分のいずれかに前記第２シート部分の側縁部に対して接合部を介して接合され、前記接合部が前記第２シート部分の側縁部に対して交差する方向に沿って形成された部分を含んでいる。このため、膨張展開しようとするエアバッグが、アウターバッグを広げようとする力を、接合部のうち第２シート部分の側縁部に対して交差する方向に沿って形成された部分で広く受止めることができ、接合部全体を破断するような力が作用することを抑制することができる。
【手続補正５】
【補正対象書類名】明細書
【補正対象項目名】００３１
【補正方法】変更
【補正の内容】
【００３１】
第８の態様によると、エアバッグの膨張展開時に、アウターバッグ側周壁部の先端部に設けられた延設部が膨張展開中の前記エアバッグと前記エアバッグ組込パネルのうち前記リッドを割開いた後の開口外側周縁部との間に挟込まれるため、アウターバッグ側周壁部が膨張展開中の前記エアバッグを覆う状態をより確実に維持できる。これにより、リッド側周壁部とインフレータとの間で、エアバッグがラジアル方向に広がることをより確実に抑制することができる。
【手続補正６】
【補正対象書類名】図面
【補正対象項目名】図２６
【補正方法】変更
【補正の内容】
【図２６】
2014019196.tif 000001
【手続補正７】
【補正対象書類名】図面
【補正対象項目名】図２７
【補正方法】変更
【補正の内容】
【図２７】
2014019196.tif 000002